(57)【要約】  起動／初期獲得および圏外モードの間に使用する１つまたは複数の適切なアンテナを選択するための方法および装置が開示される。いくつかの例では、第１のアンテナまたは第２のアンテナのうちの選択された１つを利用して、いずれかのアンテナを利用して受信された信号エネルギーに対応する自動利得制御（ＡＧＣ）値などのチャネル特性に基づいて、特定の受信回路のために初期システム獲得が実行され得る。別の例では、受信ダイバーシティ決定アルゴリズムまたはアンテナ切替え決定アルゴリズムのいずれかを利用する初期システム獲得が、受信回路のうちの１つに結合されたアンテナのうちの１つを利用して受信された信号エネルギーに対応するＡＧＣ値などのチャネル特性に基づいて実行され得る。
2016524835.tif 000002
【特許請求の範囲】
【請求項１】
マルチアンテナワイヤレス通信デバイスにおいて動作可能な初期システム獲得の方法であって、
第１の受信回路に結合された第１のアンテナを利用して検出された第１のチャネル特性が第１のしきい値よりも大きい場合に、前記第１の受信回路に結合された前記第１のアンテナを利用して初期システム獲得を実行することと、
前記第１のチャネル特性が前記第１のしきい値よりも大きくない場合に、第２のアンテナに前記第１の受信回路を結合するためにアンテナ切替え回路をトグルすることと、
前記第１の受信回路に結合された前記第２のアンテナを利用して検出された第２のチャネル特性が第２のしきい値よりも大きい場合に、前記第１の受信回路に結合された前記第２のアンテナを利用して初期システム獲得を実行することと
を備える方法。
【請求項２】
前記第２のチャネル特性が前記第２のしきい値よりも大きくない場合に、前記第１のアンテナに前記第１の受信回路を結合するために前記アンテナ切替え回路をトグルし、前記第１の受信回路に結合された前記第１のアンテナを利用して初期システム獲得を実行すること
をさらに備える、請求項１に記載の方法。
【請求項３】
前記第１のチャネル特性は、前記第１の受信回路に結合された前記第１のアンテナを利用して受信された信号エネルギーに対応する自動利得制御（ＡＧＣ）値を備え、
前記第２のチャネル特性は、前記第１の受信回路に結合された前記第２のアンテナを利用して受信された信号エネルギーに対応するＡＧＣ値を備える、請求項１に記載の方法。
【請求項４】
マルチアンテナワイヤレス通信デバイスにおいて動作可能な初期システム獲得の方法であって、
第１の受信回路に結合された第１のアンテナを利用して検出された第１のチャネル特性が第１のしきい値よりも大きい場合に、前記第１の受信回路に結合された前記第１のアンテナを利用して初期システム獲得を実行することと、
前記第１のチャネル特性が前記第１のしきい値よりも大きくない場合に、初期システム獲得のためのアンテナ構成を決定するために、受信ダイバーシティ決定アルゴリズム、またはアンテナ切替え決定アルゴリズムのうちの１つを選択することと
を備える方法。
【請求項５】
前記第１のチャネル特性は、前記第１の受信回路に結合された前記第１のアンテナを利用して受信された信号エネルギーに対応する自動利得制御（ＡＧＣ）値を備える、請求項４に記載の方法。
【請求項６】
受信ダイバーシティ決定アルゴリズム、またはアンテナ切替え決定アルゴリズムのうちの１つを前記選択することは、前記受信ダイバーシティ決定アルゴリズムを選択することを備え、前記方法は、
第２の受信回路に結合された第２のアンテナを利用して検出された第２のチャネル特性が第２のしきい値よりも大きい場合に、前記第１の受信回路に結合された前記第１のアンテナのパフォーマンスを前記第２の受信回路に結合された前記第２のアンテナのパフォーマンスと組み合わせる受信ダイバーシティを利用して初期システム獲得を実行すること
をさらに備える、請求項４に記載の方法。
【請求項７】
前記第２のチャネル特性は、前記第２の受信回路に結合された前記第２のアンテナを利用して受信された信号エネルギーに対応する自動利得制御（ＡＧＣ）値を備える、請求項６に記載の方法。
【請求項８】
受信ダイバーシティ決定アルゴリズム、またはアンテナ切替え決定アルゴリズムのうちの１つを前記選択することは、前記アンテナ切替え決定アルゴリズムを選択することを備え、前記方法は、
第２のアンテナに前記第１の受信回路を結合するためにアンテナ切替え回路をトグルすることと、
前記第１の受信回路に結合された前記第２のアンテナを利用して検出された第２のチャネル特性が第２のしきい値よりも大きい場合に、前記第１の受信回路に結合された前記第２のアンテナを利用して初期システム獲得を実行することと
をさらに備える、請求項４に記載の方法。
【請求項９】
前記第２のチャネル特性は、前記第１の受信回路に結合された前記第２のアンテナを利用して受信された信号エネルギーに対応する自動利得制御（ＡＧＣ）値を備える、請求項８に記載の方法。
【請求項１０】
前記第２のチャネル特性が前記第２のしきい値よりも大きくない場合に、前記第１のアンテナに前記第１の受信回路を結合するために前記アンテナ切替え回路をトグルし、前記第１の受信回路に結合された前記第１のアンテナを利用して初期システム獲得を実行すること
をさらに備える、請求項８に記載の方法。
【請求項１１】
少なくとも１つのプロセッサと、
前記少なくとも１つのプロセッサに通信可能に結合されたメモリと、
前記少なくとも１つのプロセッサに通信可能に結合された複数の受信回路と、
複数のアンテナと、
前記複数のアンテナのそれぞれ１つと前記複数の受信回路のそれぞれ１つとの間の結合を制御するための、前記少なくとも１つのプロセッサに通信可能に結合されたアンテナ切替え回路と
を備えるワイヤレス通信デバイスであって、
前記少なくとも１つのプロセッサは、
前記複数の受信回路のうちの第１の受信回路に結合された前記複数のアンテナのうちの第１のアンテナを利用して、前記第１の受信回路に結合された前記第１のアンテナを利用して検出された第１のチャネル特性が第１のしきい値よりも大きい場合に、初期システム獲得を実行し、
前記第１のチャネル特性が前記第１のしきい値よりも大きくない場合に、前記複数のアンテナのうちの第２のアンテナに前記第１の受信回路を結合するために前記アンテナ切替え回路をトグルし、
前記第１の受信回路に結合された前記第２のアンテナを利用して検出された第２のチャネル特性が第２のしきい値よりも大きい場合に、前記第１の受信回路に結合された前記第２のアンテナを利用して初期システム獲得を実行する
ように構成される、ワイヤレス通信デバイス。
【請求項１２】
前記少なくとも１つのプロセッサは、
前記第２のチャネル特性が前記第２のしきい値よりも大きくない場合に、前記第１のアンテナに前記第１の受信回路を結合するために前記アンテナ切替え回路をトグルし、前記第１の受信回路に結合された前記第１のアンテナを利用して初期システム獲得を実行する
ようにさらに構成される、請求項１１に記載のワイヤレス通信デバイス。
【請求項１３】
前記第１のチャネル特性は、前記第１の受信回路に結合された前記第１のアンテナを利用して受信された信号エネルギーに対応する自動利得制御（ＡＧＣ）値を備え、
前記第２のチャネル特性は、前記第１の受信回路に結合された前記第２のアンテナを利用して受信された信号エネルギーに対応するＡＧＣ値を備える、請求項１１に記載のワイヤレス通信デバイス。
【請求項１４】
少なくとも１つのプロセッサと、
前記少なくとも１つのプロセッサに通信可能に結合されたメモリと、
前記少なくとも１つのプロセッサに通信可能に結合された複数の受信回路と、
複数のアンテナと、
前記複数のアンテナのそれぞれ１つと前記複数の受信回路のそれぞれ１つとの間の結合を制御するための、前記少なくとも１つのプロセッサに通信可能に結合されたアンテナ切替え回路と
を備えるワイヤレス通信デバイスであって、
前記少なくとも１つのプロセッサは、
前記複数の受信回路のうちの第１の受信回路に結合された前記複数のアンテナのうちの第１のアンテナを利用して、前記第１の受信回路に結合された前記第１のアンテナを利用して検出された第１のチャネル特性が第１のしきい値よりも大きい場合に、初期システム獲得を実行し、
前記第１のチャネル特性が前記第１のしきい値よりも大きくない場合に、初期システム獲得のためのアンテナ構成を決定するために、受信ダイバーシティ決定アルゴリズム、またはアンテナ切替え決定アルゴリズムのうちの１つを選択する
ように構成される、ワイヤレス通信デバイス。
【請求項１５】
前記第１のチャネル特性は、前記第１の受信回路に結合された前記第１のアンテナを利用して受信された信号エネルギーに対応する自動利得制御（ＡＧＣ）値を備える、請求項１４に記載のワイヤレス通信デバイス。
【請求項１６】
受信ダイバーシティ決定アルゴリズム、またはアンテナ切替え決定アルゴリズムのうちの１つを選択するように構成される前記少なくとも１つのプロセッサが、前記受信ダイバーシティ決定アルゴリズムを選択した場合に、前記少なくとも１つのプロセッサは、
第２の受信回路に結合された第２のアンテナを利用して検出された第２のチャネル特性が第２のしきい値よりも大きい場合に、前記第１の受信回路に結合された前記第１のアンテナのパフォーマンスを前記第２の受信回路に結合された前記第２のアンテナのパフォーマンスと組み合わせる受信ダイバーシティを利用して初期システム獲得を実行する
ようにさらに構成される、請求項１４に記載のワイヤレス通信デバイス。
【請求項１７】
前記第２のチャネル特性は、前記第２の受信回路に結合された前記第２のアンテナを利用して受信された信号エネルギーに対応する自動利得制御（ＡＧＣ）値を備える、請求項１６に記載のワイヤレス通信デバイス。
【請求項１８】
受信ダイバーシティ決定アルゴリズム、またはアンテナ切替え決定アルゴリズムのうちの１つを選択するように構成される前記少なくとも１つのプロセッサが、前記アンテナ切替え決定アルゴリズムを選択し、前記少なくとも１つのプロセッサは、
前記複数のアンテナのうちの第２のアンテナに前記第１の受信回路を結合するために前記アンテナ切替え回路をトグルし、
前記第１の受信回路に結合された前記第２のアンテナを利用して検出された第２のチャネル特性が第２のしきい値よりも大きい場合に、前記第１の受信回路に結合された前記第２のアンテナを利用して初期システム獲得を実行する
ようにさらに構成される、請求項１４に記載のワイヤレス通信デバイス。
【請求項１９】
前記第２のチャネル特性は、前記第１の受信回路に結合された前記第２のアンテナを利用して受信された信号エネルギーに対応する自動利得制御（ＡＧＣ）値を備える、請求項１８に記載のワイヤレス通信デバイス。
【請求項２０】
前記少なくとも１つのプロセッサは、
前記第２のチャネル特性が前記第２のしきい値よりも大きくない場合に、前記第１のアンテナに前記第１の受信回路を結合するために前記アンテナ切替え回路をトグルし、前記第１の受信回路に結合された前記第１のアンテナを利用して初期システム獲得を実行する
ようにさらに構成される、請求項１８に記載のワイヤレス通信デバイス。
【発明の詳細な説明】
【技術分野】
【０００１】
関連出願の相互参照
[0001]本出願は、以下で十分に記載されているかのように、またすべての該当する目的のために参照により本明細書に組み込まれる「Ｄｅｖｉｃｅｓ，  Ｍｅｔｈｏｄｓ，  ＆  Ｓｙｓｔｅｍｓ  ｆｏｒ  Ｉｎｉｔｉａｌ  Ｓｉｇｎａｌ  Ａｃｑｕｉｓｉｔｉｏｎ」と題する２０１３年５月２日に出願された米国仮特許出願第６１／８１８，８７２号および「Ｄｅｖｉｃｅｓ，  Ｍｅｔｈｏｄｓ，  ａｎｄ  Ｓｙｓｔｅｍｓ  ｆｏｒ  Ｉｎｉｔｉａｌ  Ｓｉｇｎａｌ  Ａｃｑｕｉｓｉｔｉｏｎ」と題する２０１３年１０月２９日に出願された米国非仮特許出願第１４／０６６，５８５号の優先権と利益とを主張する。
【０００２】
[0002]以下で論じる技術は、一般に通信システムに関し、より詳細には、通信システムの一部として機能する態様および構成要素に関する。いくつかの実施形態は、通信デバイスのためのアンテナ切替えシナリオにおける改善された初期システム獲得を可能にするためのデバイス、方法、およびシステムに関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有する複数のユーザのワイヤレスデバイスによってアクセスされ得る。
【０００４】
[0004]概して、ワイヤレスデバイスは、ワイヤレス通信システムを通して音声および／またはデータ通信を送信および受信するために使用され得る。データレートを上げ、アンテナパフォーマンスを改善するための１つの一般に使用される技法は、空間ダイバーシティとして知られており、空間ダイバーシティでは、ワイヤレスデバイスは、複数のワイヤレス通信チャネル上で信号を同時に受信および／または送信するために、複数の空間的に分離されたアンテナを使用する。しばしば、データは、１次アンテナを使用する受信回路と、２次アンテナを使用する、一般にダイバーシティ受信回路と呼ばれる第２の受信回路とを用いて複信で動作する、１次アンテナを使用する単一の送信回路を使用するワイヤレスデバイスから送られる。ｃｄｍａ２０００  １ｘ技術では、受信ダイバーシティのための方式は、モバイル受信ダイバーシティ（ＭＲＤ：Mobile Receive Diversity）と呼ばれる。
【０００５】
[0005]複数の送信回路および／または受信回路の使用は、より高いデータ送信レートを通してユーザエクスペリエンスを向上させるのに効果的である。その上、各アンテナの異なる位置が、各アンテナが同時にディープフェード状態になる可能性が比較的低いという意味であることを利用する形で、アンテナの各々から受信された信号が互いに組み合わせられ得る。したがって、ディープフェード状態のロケーションへの移動に起因してワイヤレスパフォーマンスが低下する確率は、劇的に低下し得る。
【０００６】
[0006]今日では多くのデバイスにおいて、ワイヤレスデバイスが最初に起動するとき、またはワイヤレスデバイスが圏外（ＯＯＳ）モードと呼ばれるモードから戻るとき、ワイヤレスデバイスは、システムを獲得してセルラーネットワークとの通信を確立することを試みるために、１つのアンテナに結合された１つの受信回路を使用するだけであり得る。２つ以上の受信回路を有する、ＭＲＤを可能にするように構成されたワイヤレスデバイスでは、システムを獲得することを試みるために受信回路の各々が利用される場合、獲得の確率は上昇し得る。しかしながら、追加の受信回路の使用により生じる電力消費の増加、ならびに獲得のレイテンシが増大する可能性など、改善された獲得確率を実現することには一定の代償がある。したがって、システム獲得中にＭＲＤを賢明に呼び出す必要が依然としてある。
【発明の概要】
【０００７】
[0007]以下で、本開示の１つまたは複数の態様の基本的理解を与えるために、そのような態様の簡略化された概要を提示する。この概要は、本開示のすべての考えられる特徴の包括的な概観ではなく、本開示のすべての態様の主要または重要な要素を特定するものでも、本開示のいずれかまたはすべての態様の範囲を定めるものでもない。その唯一の目的は、後に提示されるより詳細な説明の前置きとして、本開示の１つまたは複数の態様のいくつかの概念を簡略化された形で提示することである。
【０００８】
[0008]一態様では、本開示は、マルチアンテナワイヤレス通信デバイスにおいて動作可能な初期システム獲得の方法を提供する。ここでは、本方法は、第１の受信回路に結合された第１のアンテナを利用して検出された第１のチャネル特性（たとえば、第１の受信回路に結合された第１のアンテナを利用して受信された信号エネルギーに対応する自動利得制御（ＡＧＣ）値）が第１のしきい値よりも大きい場合に、第１の受信回路に結合された第１のアンテナを利用して初期システム獲得を実行することを含む。本方法は、第１のチャネル特性が第１のしきい値よりも大きくない場合に、第２のアンテナに第１の受信回路を結合するためにアンテナ切替え回路をトグルすることをさらに含む。最後に、本方法は、第１の受信回路に結合された第２のアンテナを利用して、第１の受信回路に結合された第２のアンテナを利用して検出された第２のチャネル特性（たとえば、第１の受信回路に結合された第２のアンテナを利用して受信された信号エネルギーに対応するＡＧＣ値）が第２のしきい値よりも大きい場合に、初期システム獲得を実行することをさらに含む。
【０００９】
[0009]本開示の別の態様は、マルチアンテナワイヤレス通信デバイスにおいて動作可能な初期システム獲得の方法を提供する。ここでは、本方法は、第１の受信回路に結合された第１のアンテナを利用して検出された第１のチャネル特性（たとえば、第１の受信回路に結合された第１のアンテナを利用して受信された信号エネルギーに対応する自動利得制御（ＡＧＣ）値）が第１のしきい値よりも大きい場合に、第１の受信回路に結合された第１のアンテナを利用して初期システム獲得を実行することを含む。本方法は、第１のチャネル特性が第１のしきい値よりも大きくない場合に、初期システム獲得のためのアンテナ構成を決定するために、受信ダイバーシティ決定アルゴリズム、またはアンテナ切替え決定アルゴリズムのうちの１つを選択することをさらに含む。
【００１０】
[0010]本開示の別の態様は、少なくとも１つのプロセッサと、少なくとも１つのプロセッサに通信可能に結合されたメモリと、少なくとも１つのプロセッサに通信可能に結合された複数の受信回路と、複数のアンテナと、複数のアンテナのそれぞれ１つと複数の受信回路のそれぞれ１つとの間の結合を制御するための、少なくとも１つのプロセッサに通信可能に結合されたアンテナ切替え回路とを含むワイヤレス通信デバイスを提供する。ここでは、少なくとも１つのプロセッサは、第１の受信回路に結合された第１のアンテナを利用して検出された第１のチャネル特性（たとえば、第１の受信回路に結合された第１のアンテナを利用して受信された信号エネルギーに対応する自動利得制御（ＡＧＣ）値）が第１のしきい値よりも大きい場合に、複数の受信回路のうちの第１の受信回路に結合された複数のアンテナのうちの第１のアンテナを利用して初期システム獲得を実行し、第１のチャネル特性が第１のしきい値よりも大きくない場合に、複数のアンテナのうちの第２のアンテナに第１の受信回路を結合するためにアンテナ切替え回路をトグルし、第１の受信回路に結合された第２のアンテナを利用して、第１の受信回路に結合された第２のアンテナを利用して検出された第２のチャネル特性（たとえば、第１の受信回路に結合された第２のアンテナを利用して受信された信号エネルギーに対応するＡＧＣ値）が第２のしきい値よりも大きい場合に、初期システム獲得を実行するように構成される。
【００１１】
[0011]本開示の別の態様は、少なくとも１つのプロセッサと、少なくとも１つのプロセッサに通信可能に結合されたメモリと、少なくとも１つのプロセッサに通信可能に結合された複数の受信回路と、複数のアンテナと、複数のアンテナのそれぞれ１つと複数の受信回路のそれぞれ１つとの間の結合を制御するための、少なくとも１つのプロセッサに通信可能に結合されたアンテナ切替え回路とを含むワイヤレス通信デバイスを提供する。ここでは、少なくとも１つのプロセッサは、第１の受信回路に結合された第１のアンテナを利用して検出された第１のチャネル特性（たとえば、第１の受信回路に結合された第１のアンテナを利用して受信された信号エネルギーに対応する自動利得制御（ＡＧＣ）値）が第１のしきい値よりも大きい場合に、複数の受信回路のうちの第１の受信回路に結合された複数のアンテナのうちの第１のアンテナを利用して初期システム獲得を実行し、第１のチャネル特性が第１のしきい値よりも大きくない場合に、初期システム獲得のためのアンテナ構成を決定するために、受信ダイバーシティ決定アルゴリズム、またはアンテナ切替え決定アルゴリズムのうちの１つを選択するように構成される。
【００１２】
[0012]本発明のこれらの態様および他の態様は、以下の発明を実施するための形態を検討すれば、より完全に理解されるであろう。本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関して論じられ得るが、本発明のすべての実施形態は、本明細書で論じられる有利な特徴のうちの１つまたは複数を含み得る。言い換えれば、１つまたは複数の実施形態が、いくつかの有利な特徴を有するものとして論じられ得るが、そのような特徴のうちの１つまたは複数はまた、本明細書で論じられる本発明の様々な実施形態に従って使用され得る。同様に、例示的な実施形態が、以下ではデバイス、システム、または方法の実施形態として論じられ得るが、そのような例示的な実施形態は、様々なデバイス、システム、および方法で実装され得ることを理解されたい。
【図面の簡単な説明】
【００１３】
【図１】[0013]本開示の様々な態様が実装され得るワイヤレス通信システムのブロック図。
【図２】[0014]開示される手法の様々な態様に従って構成された例示的なワイヤレスデバイスのブロック図。
【図３】[0015]本開示のいくつかの態様に従ってアンテナ切替え用に構成されたワイヤレスデバイスの一部の簡略ブロック図。
【図４】[0016]初期獲得中に選択的にアンテナを切り替えるための例示的なプロセスを示すフローチャート。
【図５】[0017]初期獲得中に選択的にアンテナを切り替え、および／またはＭＲＤを呼び出すための別の例示的なプロセスを示すフローチャート。
【図６】[0018]初期獲得中に選択的にアンテナを切り替え、および／またはＭＲＤを呼び出すための別の例示的なプロセスを示すフローチャート。
【発明を実施するための形態】
【００１４】
[0019]以下の説明では、添付の図面が参照され、例として、本開示が実施され得る具体的な手法が示される。そのような手法は、当業者が本発明を実施できるように十分に詳しく本開示の態様について説明することが意図されている。他の手法が利用されてよく、本開示の範囲から逸脱することなく、開示される手法に変更が行われてもよい。以下の詳細な説明は、限定的な意味で受け止められるべきではなく、本開示の範囲は、添付の特許請求の範囲によってのみ画定される。
【００１５】
[0020]本明細書で説明する要素は、同じ要素の複数の例を含み得る。これらの要素は、一般的には数字指示子（たとえば、「１１０」）によって示され、具体的には、アルファベット指示子が後に来る数字インジケータ（たとえば、「１１０Ａ」）または「ダッシュ」によって処理される数字インジケータ（たとえば、「１１０−１」）によって示される。説明についていくのを容易にするために、ほとんどの部分では、要素番号インジケータは、要素が導入されるか、または最も十分に論じられる図面の番号で始まる。
【００１６】
[0021]以下の説明は例を提供するものであり、特許請求の範囲に記載される範囲、適用性、または構成を限定するものではない。本開示の趣旨および範囲から逸脱することなく、論じられる要素の機能および構成において変更が行われ得る。様々な態様は、適宜、様々な手順または構成要素を省略し、置換し、または追加し得る。たとえば、説明される方法は、説明される順序とは異なる順序で実行され得、様々なステップが追加され、省略され、または組み合わせられ得る。また、いくつかの態様に関して説明される特徴は、他の態様において組み合わせられ得る。
【００１７】
[0022]本明細書における記述は、開示される手法のいくつかの態様の追加の詳細を示すために、一例としてＣＤＭＡおよびエボリューションデータオプティマイズド（ＥＶ−ＤＯ：Evolution-Data Optimized）プロトコルおよびシステムに関係し得る。別の例は、ＣＤＭＡ２０００デバイスがアクティブな１Ｘ回線交換音声呼中にＥＶ−ＤＯパケットデータサービスにアクセスするのを可能にする同時（１Ｘ）音声および（ＥＶ−ＤＯ）データ（ＳＶ−ＤＯ）として知られる相補的デバイス改良（complementary device enhancement）である。しかしながら、開示される手法の様々な態様は、獲得のために選択的にモバイル受信ダイバーシティ（ＭＲＤ）を呼び出すために、多くの他のワイヤレス通信プロトコルおよびシステムにおいて使用され、それらに含まれ得ることを当業者は認識されよう。特に、周辺の（marginal）または弱いカバレージエリアにおいて獲得パフォーマンスを改善するために、ＭＲＤをいつ呼び出すかを決定するためのいくつかの異なる手法が使用される。
【００１８】
[0023]図１は、本開示の１つまたは複数の態様に従って構成されたワイヤレス通信システム１００の一例を示すブロック図である。システム１００は、基地局１０５と、ワイヤレスデバイス１１５と、基地局コントローラ１２０と、コアネットワーク（図示されておらず、コントローラ１２０はコアネットワークに組み込まれ得る）とを含む。システム１００は、複数の搬送波（異なる周波数の波形信号）上での動作をサポートすることができる。マルチキャリア送信機は、複数のキャリア上で同時に被変調信号を送信し得る。各被変調信号は、限定はしないが、符号分割多元接続（ＣＤＭＡ）、時分割多元接続（ＴＤＭＡ）、直交周波数分割多元接続（ＯＦＤＭＡ）、シングルキャリア周波数分割多元接続（ＳＣ−ＦＤＭＡ）などを含む任意の適切な多重化または多元接続方式を利用することができる。各被変調信号は、異なるキャリア上で送られ得、制御情報（たとえば、パイロット信号）、オーバーヘッド情報、データなどを搬送し得る。
【００１９】
[0024]基地局１０５は、基地局アンテナを介してワイヤレスデバイス１１５とワイヤレス通信し得る。基地局１０５は、複数のキャリアを介してコントローラ１２０の制御下でワイヤレスデバイス１１５と通信するように構成される。基地局１０５サイトの各々は、それぞれの地理的エリアに通信カバレージを与えることができる。ここでは、各基地局１０５に対するカバレージエリア１１０は、１１０−ａ、１１０−ｂ、または１１０−ｃとして識別される。基地局１０５に対するカバレージエリア１１０は、セクタ（図示されていないが、たとえば、カバレージエリアの一部分だけを構成する）に分割され得る。システム１００は、異なるタイプの基地局１０５（たとえば、マクロ基地局、マイクロ基地局、フェムト基地局、および／またはピコ基地局）を含み得る。
【００２０】
[0025]ワイヤレスデバイス１１５はカバレージエリア１１０全体にわたって分散され得る。ワイヤレスデバイス１１５は、ワイヤレス局、モバイルデバイス、アクセス端末（ＡＴ）、ユーザ機器（ＵＥ）または加入者ユニットと呼ばれることがある。ワイヤレスデバイス１１５は、セルラーフォンとワイヤレス通信デバイスとを含み得るが、携帯情報端末（ＰＤＡ）、他のハンドヘルドデバイス、ネットブック、ノートブックコンピュータ、テレビ、エンターテインメントデバイス、ウェアラブルデバイスなども含み得る。
【００２１】
[0026]ネットワークタイプおよびサービス目的に応じて、モードをスケールダウンする異なるネットワークが考えられ得る。ネットワーク中のチャネルリソースと空間リソースとを利用する様々な方法がある。様々なサイトにわたって複数のキャリアを有するワイヤレスネットワークを考察されたい。異なるキャリアが、すべて、単一の無線アクセス技術（ＲＡＴ）または複数の無線アクセス技術（マルチＲＡＴ）（たとえば、Ｎ１  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）キャリアおよびＮ２  Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））キャリア）に使用され得る。キャリアとサイト寸法とをスケールダウンする様々なモダリティが定義され得る。
【００２２】
[0027]図２は、本開示の１つまたは複数の態様に従って構成された例示的なワイヤレスデバイス１１５を示すブロック図である。たとえば、ワイヤレスデバイス１１５は、図２または図３のうちのいずれか１つまたは複数に示されるアクセス端末であり得る。ワイヤレスデバイス１１５は、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、任意の数の様々な構成を有し得る。ワイヤレスデバイス１１５は、モバイル動作を可能にするために、バッテリーなどの内部電源（図示せず）を有するモバイル構成を有し得る。
【００２３】
[0028]ワイヤレスデバイス１１５は、ワイヤレスデバイス１１５との間のワイヤレス通信の送信／受信において使用され得る２つ以上のアンテナ２７０ａ、２７０ｂ、．．．、２７０ｎを含む。本開示のいくつかの態様では、アンテナ２７０ａ〜ｎは、１次アンテナと２次アンテナとを含み、１次アンテナは、ワイヤレス通信チャネル上でのワイヤレス通信の送信および受信に使用され、２次アンテナは、異なるワイヤレス通信チャネル上でのワイヤレス通信の受信に使用される。いくつかのデバイスでは、ワイヤレス通信は、３つ以上のワイヤレス通信チャネル上で受信され得、そのようなデバイスは、３つ以上の異なるワイヤレス通信チャネル上でワイヤレス通信を受信するために、必要に応じて追加のアンテナを含む。
【００２４】
[0029]ワイヤレスデバイス１１５は、送信回路２３０ａ、２３０ｂ、．．．、２３０ｎなどの１つまたは複数の送信回路と、受信回路２４０ａ、２４０ｂ、．．．、２４０ｎなどの１つまたは複数の受信回路とをさらに含むことができる。ここでは、送信回路２３０ａ〜２３０ｎおよび受信回路２４０ａ〜２４０ｎは、切替え回路２６０を通して複数のアンテナ２７０ａ、２７０ｂ、．．．、２７０ｎに結合され得る。受信回路２４０ａ〜ｎは、いくつかの例によれば、アンテナ２７０ａ〜ｎのうちの１つまたは複数から信号を受信し、信号を復調して処理し、処理された信号をプロセッサ２２０に提供する。受信機回路２４０ａ〜ｎは、受信機、受信チェーン、または受信するための任意の他の適切な手段であり得る。
【００２５】
[0030]すなわち、受信回路２４０ａ〜ｎは、モバイル受信ダイバーシティ（ＭＲＤ）（受信ダイバーシティまたはＲｘＤと呼ばれることがある）を使用するワイヤレスデバイスにおけるデータの受信のための改良されたモードを可能にするように構成され得る。受信回路２４０ａ〜ｎの各々は、着信信号の受信およびフィルタ処理、周波数変換および利得制御、ならびにプロセッサ２２０にデジタル出力を提供するためのベースバンド処理に関係するタスクを実行するためにそのような受信機において使用される構成要素を含む。
【００２６】
[0031]以下でのいくつかの例の参照は、図２の例示的なワイヤレスデバイス１１５に示されるように、３つ以上の受信回路がワイヤレスデバイス１１５中に存在し得るが、概念のより簡略化された説明および例示のために、様々な例において２つの受信チェーンのみが説明されるという理解の下で、２つの例示的な受信回路を使用して行われる。
【００２７】
[0032]同様に、送信機回路２３０ａ〜２３０ｎは、プロセッサ２２０から信号を受信し、信号を処理して変調し、アンテナ２７０ａ〜ｎのうちの１つまたは複数を使用して、処理され変調された信号を送信する。送信機回路２３０ａ〜ｎは、送信機、送信機チェーン、または送信するための任意の他の適切な手段であり得る。本開示のいくつかの態様では、送信機回路２３０ａ〜ｎおよび受信機回路２４０ａ〜ｎは、単一のトランシーバ回路に組み込まれ得る。プロセッサ２２０は、ワイヤレスデバイス１１５の動作に関係する処理タスクを実行し、ワイヤレスデバイス１１５のユーザが、様々な機能を選択し、制御し、ワイヤレスデバイス１１５と対話することを可能にするユーザインターフェース２２５に結合される。プロセッサ２２０はさらに、データ、命令、またはワイヤレスデバイス１１５によって使用される情報の任意の他の適切な構成を記憶するように構成されたメモリ２０８に結合され得る。たとえば、様々な構成要素ワイヤレスデバイス１１５は、１つまたは複数のバス２１７を介してワイヤレスデバイス１１５の他の構成要素の一部または全部と通信していることがある。
【００２８】
[0033]プロセッサ２２０は、本明細書で説明する機能を実行することが可能な任意の適切なプロセッサによって具現化され得る。プロセッサ２２０の例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の適切なハードウェアが含まれる。すなわち、ワイヤレスデバイス１１５などの装置において利用されるプロセッサ２２０は、以下で説明し、図４〜図６に示すプロセスのうちのいずれか１つまたは複数を実施するために使用され得る。
【００２９】
[0034]この例では、ワイヤレスデバイス１１５は、バス２１７によって概略的に表されるバスアーキテクチャを用いて実装され得る。バス２１７は、ワイヤレスデバイス１１５の特定の適用例および全体的な設計制約に応じて、任意の数の相互接続するバスとブリッジとを含み得る。バス２１７は、（プロセッサ２２０によって概略的に表される）１つまたは複数のプロセッサと、（コンピュータ可読媒体２０６によって概略的に表される）コンピュータ可読媒体を含み得るメモリ２０８とを含む様々な回路を互いにリンクする。バス２１７は、タイミングソース、周辺装置、電圧調整器、および電力管理回路などの様々な他の回路をリンクすることもできるが、これらの回路は当技術分野でよく知られており、したがってこれ以上は説明しない。装置の性質によっては、ユーザインターフェース２２５（たとえば、キーパッド、ディスプレイ、スピーカ、マイクロフォン、ジョイスティック）も設けられ得る。
【００３０】
[0035]本開示の一態様では、プロセッサ２２０は、１つまたは複数の機能回路、モジュール、またはブロックを含むことができる。たとえば、プロセッサ２２０は、チャネル特性決定回路２２２を含むことができる。たとえば、チャネル特性決定回路２２２は、限定はしないが、自動利得制御（ＡＧＣ）値を生成することを含む、無線チャネルの１つまたは複数の特性を測定するために１つまたは複数の受信回路２４０ａ〜ｎを制御するように構成され得る。プロセッサ２２０は、初期システム獲得実行回路２２４をさらに含むことができる。たとえば、初期システム獲得実行回路２２４は、たとえば、切替え回路２６０によって制御される被選択受信回路／アンテナ組合せを利用して初期システム獲得を実行するように構成され得る。プロセッサ２２０は、しきい値比較回路２２６をさらに含むことができる。たとえば、しきい値比較回路２２６は、ＡＧＣ値などの決定されたチャネル特性が一定のしきい値よりも大きいかどうかをワイヤレスデバイス１１５が決定することを可能にするように構成され得る。いくつかの例では、しきい値は、所定の値であることがあり、他の例では、しきい値は、任意の適切なパラメータまたは要因に従って決定されることがある。さらに、いくつかの例では、２つ以上のしきい値がしきい値比較回路２２６によって利用されることがあり、しきい値はメモリ２０８に記憶され得る。プロセッサ２２０は、アンテナ切替えおよび受信ダイバーシティ実施回路２２８をさらに含むことができる。たとえば、アンテナ切替えおよび受信ダイバーシティ実施回路２２８は、送信回路および／または受信回路とアンテナとの間の接続をトグルするか、または切り替えるために切替え回路２６０を制御するように構成され得る。さらに、アンテナ切替えおよび受信ダイバーシティ実施回路２２８は、どの１つまたは複数の受信回路２４０ａ〜ｎが初期システム獲得試行に利用されるべきかを制御するように構成され得る。
【００３１】
[0036]プロセッサ２２０は、バス２１７の管理、およびコンピュータ可読媒体２０６上に記憶されたソフトウェアの実行を含む全般的な処理を担う。ソフトウェアは、プロセッサ２２０によって実行されると、任意の特定の装置の後述する様々な機能をワイヤレスデバイス１１５に実行させる。コンピュータ可読媒体２０６は、ソフトウェアを実行するときにプロセッサ２２０によって操作されるデータを記憶するために使用される場合もある。
【００３２】
[0037]処理システム内の１つまたは複数のプロセッサ２２０はソフトウェアを実行することができる。ソフトウェアは、ソフトウェア、ファームウェア、ミドルウェア、マイクロコード、ハードウェア記述言語と呼ばれるか、他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体２０６上に存在し得る。コンピュータ可読媒体２０６は、非一時的コンピュータ可読媒体であり得る。非一時的コンピュータ可読媒体は、例として、磁気記憶デバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の適切な媒体を含む。コンピュータ可読媒体はまた、例として、搬送波、伝送線路、ならびにコンピュータによってアクセスされ、読み取られ得るソフトウェアおよび／または命令を送信するための任意の他の適切な媒体を含み得る。コンピュータ可読媒体２０６は、ワイヤレスデバイス１１５の中に存在するか、ワイヤレスデバイス１１５の外に存在するか、またはワイヤレスデバイス１１５を含む複数のエンティティにわたって分散され得る。コンピュータ可読媒体２０６は、コンピュータプログラム製品において具現化され得る。例として、コンピュータプログラム製品はパッケージング材料中にコンピュータ可読媒体を含み得る。当業者は、特定の適用例およびシステム全体に課される全体的な設計制約に応じて、本開示全体にわたって提示される説明した機能を最善の形で実装する方法を認識されよう。
【００３３】
[0038]切替え回路２６０は、送信回路２３０ａ〜ｎまたは受信回路２４０ａ〜ｎが起点にして送信および受信するように構成されるアンテナ２７０ａ〜ｎをプロセッサ２２０が選択できるように提供され得る。切替え回路２６０は、送信回路２３０ａ〜ｎおよび受信回路２４０ａ〜ｎに対応するＭ個の入力をアンテナ２７０ａ〜ｎに対応するＮ個の出力に切り替えるように構成された回路を含むことができる。図２に示すように、３個よりも多いまたは少ない送信回路２３０ａ〜ｎ、３個よりも多いまたは少ない受信回路２４０ａ〜ｎ、および３個よりも多いまたは少ないアンテナ２７０ａ〜ｎがあり得る。一例として、切替え回路２６０は、クロスバースイッチまたは他の適切な切替え回路として構成され得る。プロセッサ２２０は、アンテナ２７０ａ〜ｎの任意の組合せを介してそれぞれ送信および受信するために送信回路２３０ａ〜ｎおよび受信回路２４０ａ〜ｎを切り替えるように構成され得る。送信回路および／または受信回路へのアンテナの具体的マッピングは、いくつかの例では、プロセッサ２２０によって制御されることがあり、他の例では、限定はしないが、切替え回路自体、送信機および／または受信機、アンテナなどを含む任意の他の適切なエンティティによって制御されることがある。
【００３４】
[0039]図３は、本開示のいくつかの実施形態による、ワイヤレス通信システム１００内で用いられ得る別の例示的なワイヤレスデバイス３００の簡略ブロック図である。ワイヤレスデバイス３００は、図２に示す構成要素のうちのいずれか１つまたは複数など、より多くの構成要素を有し得ることを、当業者であれば諒解されよう。示されているワイヤレスデバイス３００は、いくつかの例のいくつかの顕著な特徴について説明するのに有用な構成要素のみを含む。ワイヤレスデバイス３００は、受信回路３０２を含む。いくつかの場合には、受信するための手段は受信回路３０２のうちの１つを含み得る。デバイス３００は、複数のアンテナ３０４をさらに含む。デバイス３００は、切替え回路３０６をさらに含む。切替え回路３０６は、図４〜図６に関して上述した機能のうちの１つまたは複数を実行するように構成され得る。いくつかの場合には、切り替えるための手段は切替え回路３０６を含み得る。切替え回路３０６は、プロセッサ２２０であってよく、切替え回路２６０を含み得る。
【００３５】
[0040]開示される手法の様々な態様が、図１〜図３に示す構成要素を用いて実装され得る。実際、開示される手法の態様は、上述したワイヤレス通信デバイスなどのワイヤレス通信デバイスの中に実装され、位置付けられ得る。また、開示される手法の態様は、本明細書で説明するフローチャートに記載のアルゴリズムならびに後述するアクションを実行することが可能な回路と構成要素とを含むことができる。
【００３６】
[0041]開示される手法の様々な態様では、以下でより詳細に説明するように、受信回路２４０ａ〜ｎ（および／または受信回路３０２）の各々は、いくつかの条件下で、全体の電力消費を低減するために、および／またはワイヤレスデバイス１１５の獲得パフォーマンスを改善するために、有効および無効にされ得る。その上、開示される手法の様々な態様では、以下でより詳細に説明するように、特定の受信回路と特定のアンテナとの間の結合が、いくつかの条件下で、全体の電力消費を低減するために、および／またはワイヤレスデバイス１１５の獲得パフォーマンスを改善するために、トグルされ、切り替えられ、または再接続され得る。
【００３７】
[0042]本開示では、初期システム獲得、初期チャネル獲得、および初期獲得は、ワイヤレス通信ネットワークとの通信用のチャネルを最初に確立し獲得するプロセスを一般的に指すために互換的に使用され得る用語である。たとえば、初期獲得は、ワイヤレスデバイスが最初に電源をオンにするとき、またはワイヤレスデバイスが圏外に出た後に戻るときに生じ得る。これは一般に再獲得と区別されるべきであり、再獲得ではワイヤレスデバイスは、たとえば、不連続受信（ＤＲＸ）またはスロットモード動作を利用するデバイスによって実行されるように、すでに確立されたチャネルを再獲得する。ＤＲＸでは、アイドルモード中のデバイスは、電力を節約するためにそれのＲＦ回路のいくつかの部分を周期的に切断することができ、電源をオンにし、たとえば、既知の間隔で着信ページがないかリッスンするためにチャネルを再獲得することができる。
【００３８】
[0043]多くの従来型ワイヤレスデバイスの場合、デバイスが最初に起動するとき、または圏外に出た後に戻るとき、システムを獲得し、セルラーネットワークとの通信を確立することを試みるために、ただ１つの受信回路が使用されるのが一般的である。しかしながら、２つ以上の受信回路を有する、ＭＲＤを可能にするように構成されたワイヤレスデバイスでは、システムを獲得することを試みるために受信チェーンの各々が利用される場合、獲得の確率は上昇し得る。
【００３９】
[0044]しかしながら、いくつかの実装形態では、（追加の受信回路を使用する）電力消費の増加、ならびに獲得のレイテンシが増大する可能性など、獲得にＭＲＤを使用することには一定の代償がある。
【００４０】
[0045]その上、場合によってはＭＲＤの実施から生じる可能性がある初期獲得の改善は、いわゆる「デスグリップ（death grip）」（アンテナのうちの１つがユーザの手の位置によってショートしているか、もしくはブロックされている）またはアンテナのうちの１つもしくは複数がディープフェード状態に位置する場合、またはアンテナのうちの１つもしくは複数のパフォーマンスの劣化を招き得る任意の他の条件など、いくつかの条件に基づいて阻害されることがある。
【００４１】
[0046]またさらに、ワイヤレスデバイスがそれの受信機のうちの１つまたは複数を、たとえば受信機が何らかの他の技術によってすでに使用中であることがあるので、初期獲得試行に利用することが可能ではない場合があり得る。すなわち、いくつかのワイヤレスデバイスは、同時に２つ以上の無線アクセス技術（ＲＡＴ）を利用する能力を有し、１つのＲＡＴで生じ得る初期獲得は、別のＲＡＴを利用している何らかの他の進行中の通信活動と時を同じくすることがある。
【００４２】
[0047]したがって、本開示のいくつかの態様によれば、初期獲得中にＭＲＤの追加または代替として切替え回路（たとえば、切替え回路２６０または３０６）が利用されて、受信回路に対して選択されるべき獲得のための最良のアンテナが利用できるようになり得る。
【００４３】
[0048]以下でさらに詳細に説明するように、図２に示すワイヤレスデバイス１１５によって、または図３に示す装置３００によって実施され得るような、初期システム獲得のためのアルゴリズムの詳細な例として、２つの例示的なプロセスが説明および図示される。これらの例示的なプロセスでは、アンテナ切替えは、一般に、特定の受信回路に対する特定のアンテナのペアリングを選択するか、または受信回路のセットにアンテナのセットをマッピングするプロセスを指す。
【００４４】
[0049]図４は、本開示の１つまたは複数の態様による、アンテナ切替えを利用する初期システム獲得のための例示的なプロセス４００を示すフローチャートである。様々な例では、図示したプロセス４００は、ワイヤレスデバイス１１５または装置３００によって実行され得る。いくつかの例では、プロセス４００は、コンピュータ可読媒体２０６上の命令を実施し得るプロセッサ２２０によって実行され得る。いくつかの例では、プロセス４００は、説明する機能を実行するための任意の適切な装置または手段によって実行され得る。
【００４５】
[0050]プロセス４００は一般に、初期獲得中に受信ダイバーシティを利用せずに、初期システム獲得に利用するアンテナと受信回路との組合せを選択するためにアンテナ切替えを利用するアルゴリズムについて説明する。すなわち、以下で説明するように、適切な要因に従って、ワイヤレスデバイスは、初期獲得のためにどの単一のアンテナがどの単一の受信回路とペアリングすべきかを決定することができる。
【００４６】
[0051]４０２において、ワイヤレスデバイス１１５は、それの初期アンテナ切替え構成を保持することができ、この構成は本明細書ではＲｘ０と指定されることがあり、「１次動作モード」として説明されることがある。すなわち、プロセス４００の開始前に、切替え回路２６０は、切替え回路２６０が保持していることがある何らかの初期または以前の構成、たとえば、以前の起動中または以前の通信セッション中に確立された構成を有し得る。非限定的な例として、第１の受信回路２４０ａは第１のアンテナ２７０ａと結合されることがあり、第２の受信回路２４０ｂは第２のアンテナ２７０ｂと結合されることがある。もちろん、様々な例では受信回路とアンテナとの間の任意の他の適切なマッピングが利用され得る。したがって、４０２において、この既存の構成Ｒｘ０が保持され得る。
【００４７】
[0052]４０４において、ワイヤレスデバイス１１５は、構成Ｒｘ０に従って構成された第１の受信回路を、要求された帯域またはチャネルに同調させることができる。すなわち、第１の受信回路（たとえば、受信回路２４０ａ）は、たとえばプロセッサ２２０によって、ワイヤレスデバイス１１５がサービスを獲得することを希望し得る被選択帯域またはチャネル上で送信を受信するように構成され得る。ここでは、受信回路を要求された帯域またはチャネルに同調させることによって、受信回路は、限定はしないが、受信信号コード電力（ＲＳＣＰ）、パイロット電力、信号対雑音比、または要求された帯域もしくはチャネルの任意の他の適切な特性もしくはパラメータを含む、要求された帯域またはチャネルの１つまたは複数の特性を測定することが可能になり得る。
【００４８】
[0053]１つの特定の例では、受信回路は、受信信号電力に対応する自動利得制御（ＡＧＣ）値を生成し、このＡＧＣ値を適切なしきい値（たとえば、所定のしきい値ＴＨ０）と比較するように構成され得る。たとえば、ワイヤレスデバイス１１５は、Ｒｘ０＿Ｒｘ＿ＡＧＣ＞ＴＨ０かどうかを決定することができる。
【００４９】
[0054]ここでは、生成されたＡＧＣ値がＴＨ０よりも大きい場合に、プロセスは４０６に進むことができ、４０６においてワイヤレスデバイス１１５は、初期システム獲得のための被選択動作モードとして構成Ｒｘ０を選択することができる。すなわち、ＡＧＣ値はしきい値ＴＨ０よりも大きいと決定されているので、次いで、第１の受信回路２４０ａが切替え回路２６０によって第１のアンテナ２７０ａに結合される構成Ｒｘ０が、初期システム獲得に利用され得る。すなわち、この構成では、第１のアンテナ２７０ａと結合された第１の受信回路２４０ａが、４０８において初期システム獲得を実行するために利用され得る。
【００５０】
[0055]一方、４０４においてＲｘ０を要求された帯域またはチャネルに同調させた後に決定されたＡＧＣ値がしきい値ＴＨ０よりも大きくない場合、プロセス４００は４１０に進むことができ、４１０においてワイヤレスデバイス１１５はアンテナ切替えを要求することができる。たとえば、切替え回路２６０は、プロセッサ２２０に、または任意の他の適切な制御エンティティに、第１の受信回路を異なるアンテナ、たとえば第２のアンテナ２７０ｂと結合するためにそれの構成を切り替える許可を要求することができる。ここでは、４１０の場合のようにアンテナ切替えを実施する許可を要求することは、別の送信回路または受信回路と特定のアンテナとを利用している進行中の通信が中断されないように利用され得る。
【００５１】
[0056]アンテナ切替えの要求が認められなかった場合、プロセスは４０６に戻ることができ、４０６において、初期システム獲得を実行するために１次動作モード（Ｒｘ０）が引き続き利用され得る。一方、アンテナ切替えの要求が認められた場合、プロセスは４１２に進むことができ、４１２において、切替え回路２６０は、本明細書ではＲｘ０’と呼ばれる「１次スイッチ」動作モードにトグルすることができる。ここでは、１次スイッチモードＲｘ０’は、１次動作モードＲｘ０からの同じ受信回路が依然として利用されるが、切替え回路２６０がそれの結合を異なるアンテナ、たとえば第２のアンテナ２７０ｂに切り替えるか、またはトグルする構成を指す。
【００５２】
[0057]ワイヤレスデバイス１１５が１次スイッチ動作モードＲｘ０’に従って再構成されると、ワイヤレスデバイス１１５は、要求された帯域またはチャネルの１つまたは複数の特性を再び測定することができる。たとえば、受信回路は、受信信号電力に対応するＡＧＣ値を生成することができ、このＡＧＣ値を適切なしきい値（たとえば、所定のしきい値ＴＨ１）と比較すること。たとえば、ワイヤレスデバイス１１５は、Ｒｘ０’＿Ｒｘ＿ＡＧＣ＞ＴＨ１かどうかを決定することができる。
【００５３】
[0058]ここでは、ＡＧＣ値がＴＨ１よりも大きい場合に、プロセスは４１４に進むことができ、４１４においてワイヤレスデバイス１１５は、１次スイッチ（Ｒｘ０’）動作モードを選択し、４０８に進むことができ、４０８においてワイヤレスデバイス１１５は、選択された１次スイッチ動作モードを利用して初期システム獲得を実行することができる。すなわち、第２のアンテナ２７０ｂを利用する１次スイッチ動作モードが十分な信号品質をもたらすと決定された場合、このモードが初期システム獲得に利用され得る。
【００５４】
[0059]一方、１次スイッチＲｘ０’動作モードを利用して決定されたＡＧＣ値がしきい値ＴＨ１よりも大きくない場合、プロセスは４１６に進むことができ、４１６においてワイヤレスデバイス１１５はアンテナ切替えを要求することができる。ここでも、切替え回路２６０は、プロセッサ２２０に、または任意の他の適切な制御エンティティに、１次動作モードに戻る形で第１の受信回路を結合するためにそれの構成を切り替える許可を要求することができる。アンテナ切替えの要求が認められなかった場合、プロセスは４１４に戻ることができ、４１４においてワイヤレスデバイス１１５は、１次スイッチ動作モードＲｘ０’を選択し、４０８においてワイヤレスデバイス１１５は、選択された動作モードを利用して初期システム獲得を実行することができる。
【００５５】
[0060]別のシナリオでは、アンテナ切替えの要求が認められた場合、プロセスは４１８に進むことができ、４１８において、切替え回路２６０は、第１のアンテナ２７０ａが第１の受信回路２４０ａに結合される１次動作モードＲｘ０に戻る形でトグルすることができる。ここでは、初期構成が第１のＴＨ０よりも大きくなかったが、第２の（切り替えられた）構成が第２のしきい値ＴＨ１よりも大きくなかったので、「戻り」動作モードは、１次最良動作モードまたはＲｘ０と呼ばれ得る。
【００５６】
[0061]したがって、説明した例の場合のように、候補アンテナの各々を利用して測定されたＡＧＣ値に従って、初期システム獲得に利用する受信回路用に２つのアンテナの中から選択するために、アンテナ切替えが利用され得る。さらに、説明したように、アンテナの切替えは、特定のアンテナの使用についての許可の付与を条件とすることがあり、これはいくつかの例では、そのアンテナが別の技術またはＲＡＴによって使用中であるかどうかに対応し得る。
【００５７】
[0062]この例では、本開示の様々な態様の場合のように、初期システム獲得に利用される構成は、初期獲得段階から抜け出るときに保持され得る。たとえば、選択された構成は、データ通信に、後の再獲得に、および／またはワイヤレスデバイス１１５が圏外に出た後に後続の初期獲得に利用され得る。もちろん、これは本開示の範囲内の１つのオプションにすぎず、他の例では、構成の変更、別の初期構成へのリセットなどが行われ得る。
【００５８】
[0063]図５は、本開示の１つまたは複数の態様による、受信ダイバーシティの可能性とともにアンテナ切替えを利用する初期システム獲得のための例示的なプロセス５００を示すフローチャートである。様々な例では、図示したプロセス５００は、ワイヤレスデバイス１１５または装置３００によって実行され得る。いくつかの例では、プロセス５００は、コンピュータ可読媒体２０６上の命令を実施し得るプロセッサ２２０によって実行され得る。いくつかの例では、プロセス５００は、説明する機能を実行するための任意の適切な装置または手段によって実行され得る。
【００５９】
[0064]プロセス５００は一般に、初期獲得中に受信ダイバーシティを使用することを選択する可能性とともに、初期システム獲得に利用するアンテナと受信回路との組合せを選択するためにアンテナ切替えを利用するアルゴリズムについて説明する。すなわち、以下で説明するように、適切な要因に従って、ワイヤレスデバイスは、初期獲得のためにどのアンテナがどの受信回路と結合すべきかを決定することができる。
【００６０】
[0065]５０２においてワイヤレスデバイス１１５は、それの初期アンテナ切替え構成を保持することができ、この構成は本明細書ではＲｘ０と指定されることがあり、「１次動作モード」として説明されることがある。すなわち、プロセス５００の開始前に、切替え回路２６０は、切替え回路２６０が保持していることがある何らかの初期または以前の構成、たとえば、以前の起動中または以前の通信セッション中に確立された構成を有し得る。非限定的な例として、第１の受信回路２４０ａは第１のアンテナ２７０ａと結合されることがあり、第２の受信回路２４０ｂは第２のアンテナ２７０ｂと結合されることがある。もちろん、様々な例では受信回路とアンテナとの間の任意の他の適切なマッピングが利用され得る。したがって、５０２において、この既存の構成Ｒｘ０が保持され得る。
【００６１】
[0066]５０４においてワイヤレスデバイス１１５は、構成Ｒｘ０に従って構成された第１の受信回路を、要求された帯域またはチャネルに同調させることができる。すなわち、第１の受信回路（たとえば、受信回路２４０ａ）は、たとえばプロセッサ２２０によって、ワイヤレスデバイス１１５がサービスを獲得することを希望し得る被選択帯域またはチャネル上で送信を受信するように構成され得る。ここでは、受信回路を要求された帯域またはチャネルに同調させることによって、受信回路は、限定はしないが、受信信号コード電力（ＲＳＣＰ）、パイロット電力、信号対雑音比、または要求された帯域もしくはチャネルの任意の他の適切な特性もしくはパラメータを含む、要求された帯域またはチャネルの１つまたは複数の特性を測定することが可能になり得る。
【００６２】
[0067]１つの特定の例では、受信回路は、受信信号電力に対応する自動利得制御（ＡＧＣ）値を生成し、このＡＧＣ値を適切なしきい値（たとえば、所定のしきい値ＴＨ０）と比較するように構成され得る。たとえば、ワイヤレスデバイス１１５は、Ｒｘ０＿Ｒｘ＿ＡＧＣ＞Ｔｈ０かどうかを決定することができる。
【００６３】
[0068]ここでは、生成されたＡＧＣ値がＴＨ０よりも大きい場合に、プロセスは５０６に進むことができ、５０６においてワイヤレスデバイス１１５は、初期システム獲得のための被選択動作モードとして構成Ｒｘ０を選択することができる。すなわち、ＡＧＣ値はしきい値ＴＨ０よりも大きいと決定されているので、次いで、第１の受信回路２４０ａが切替え回路２６０によって第１のアンテナ２７０ａに結合される構成Ｒｘ０が、初期システム獲得に利用され得る。すなわち、この構成では、第１のアンテナ２７０ａと結合された第１の受信回路２４０ａが、５０８において初期システム獲得を実行するために利用され得る。
【００６４】
[0069]一方、５０４においてＲｘ０を要求された帯域またはチャネルに同調させた後に決定されたＡＧＣ値がしきい値ＴＨ０よりも大きくない場合、プロセス５００は５１０に進むことができ、５１０においてワイヤレスデバイス１１５は、本明細書で開示するアンテナ切替えアルゴリズムが、たとえば初期システム獲得に受信ダイバーシティを利用する場合に可能であるかどうかを決定することができる。たとえば、本開示の一態様では、ワイヤレスデバイス１１５におけるメモリ２０８は、ビットの適切なマスクを含むことがあり、マスク中のビットの各々は、アンテナ切替えアルゴリズム（たとえば、初期システム獲得に受信ダイバーシティを利用することを可能にするアルゴリズム）の全部または一部分が可能であるかどうかを表すことができる。もちろん、これは一例にすぎず、本開示内では、アンテナ切替えアルゴリズムが可能であるかどうかを決定するための任意の適切なアルゴリズムが利用され得る。他の例では、５１０は省略されることがあり、アルゴリズムはすべての場合に可能であり得る。ここでは、５１０において、アルゴリズムは可能ではないとワイヤレスデバイス１１５が決定した場合、プロセスはブロック５０６に戻ることができ、ブロック５０６において、１次動作モード（Ｒｘ０）が選択されてよく、５０８において、ワイヤレスデバイス１１５は、選択されたＲｘ０動作モードを利用して初期システム獲得を実行することができる。
【００６５】
[0070]一方、アルゴリズムが可能である場合、プロセスは５１２に進むことができ、５１２においてワイヤレスデバイス１１５は、第２の受信回路（たとえば、第２の受信回路２４０ｂ）を利用する２次動作モード（Ｒｘ１）の使用を要求することができる。たとえば、切替え回路２６０は、プロセッサ２２０に、または任意の他の適切な制御エンティティに、第２の受信回路を任意の適切なアンテナ、たとえば第２のアンテナ２７０ｂと結合するためにそれの構成を切り替え、この構成を初期システム獲得試行に利用する許可を要求することができる。
【００６６】
[0071]２次動作モードＲｘ１を利用する要求が認められた場合、プロセスは５１４に進むことができ、５１４において、切替え回路２６０は、選択された構成を実装し、第２の受信機２４０ｂとそれの結合されたアンテナとを、要求された帯域またはチャネルに同調させ、またしても、要求された帯域またはチャネルの１つまたは複数の特性を測定することを開始することができる。たとえば、受信回路は、受信信号電力に対応するＡＧＣ値を生成し、このＡＧＣ値を適切なしきい値（たとえば、所定のしきい値ＴＨ１）と比較することができる。たとえば、ワイヤレスデバイス１１５は、Ｒｘ１＿Ｒｘ＿ＡＧＣ＞ＴＨ１かどうかを決定することができる。
【００６７】
[0072]ここでは、ＡＧＣ値がＴＨ１よりも大きい場合に、プロセスは５１６に進むことができ、５１６においてワイヤレスデバイス１１５は，Ｒｘ１構成（上述の例では、第２の受信回路２４０ｂおよび第２のアンテナ２７０ｂ）と同時にＲｘ０構成（上述の例では、第１の受信回路２４０ａおよび第１のアンテナ２７０ａ）を利用するダイバーシティ動作モードを選択することができる。したがって、５１８において、ワイヤレスデバイス１１５は、選択されたダイバーシティ動作モード（Ｒｘ０＋Ｒｘ１）を利用して初期システム獲得を実行することができる。
【００６８】
[0073]すなわち、上述したように、Ｒｘ０動作モードが個別には十分に良好ではない（たとえば、それの検出されたＡＧＣ値が第１のしきい値よりも小さいか、またはＲｘ０＿Ｒｘ＿ＡＧＣ≦ＴＨ０）が、Ｒｘ１動作モードでは、検出されたＡＧＣ値が第２のしきい値よりも大きくなる（たとえば、それの検出されたＡＧＣ値が第２のしきい値よりも大きいか、またはＲｘ０＿Ｒｘ＿ＡＧＣ＞ＴＨ１）場合、Ｒｘ０とＲｘ１とを組み合わせる受信ダイバーシティが初期システム獲得に利用され得る。
【００６９】
[0074]一方、２次動作モードＲｘ１を利用して検出されたＡＧＣが第２のしきい値ＴＨ１よりも大きくない場合、プロセスは５２０に進むことができ、５２０においてワイヤレスデバイス１１５は、この条件を、受信ダイバーシティが初期システム獲得を十分に支援しないことを示すものと解釈することができる。したがって、ワイヤレスデバイス１１５は、１次最良動作モードＲｘ０を選択し、第１の受信回路２４０ａと第１のアンテナ２７０ａとを利用する単一アンテナ獲得に復帰することを選択することができる。したがって、５２２において、ワイヤレスデバイス１１５は、２次動作モードＲｘ１に対応する第２の受信回路２４０ｂを無効にすることができ、５２４において、ワイヤレスデバイス１１５は、選択された１次最良動作モードＲｘ０を利用して初期システム獲得を実行することができる。
【００７０】
[0075]５１２に戻ると、ワイヤレスデバイス１１５が２次動作モードＲｘ１を要求している。ここでは、要求が拒絶された場合、プロセスは５２６に進むことができ、５２６においてワイヤレスデバイス１１５は、本明細書で説明するアンテナ切替えアルゴリズムが、たとえば初期システム獲得のために１次スイッチ動作モードＲｘ０’に切り替える場合に可能であるかどうかを決定することができる。たとえば、本開示の一態様では、ワイヤレスデバイス１１５におけるメモリ２０８は、ビットの適切なマスクを含むことがあり、マスク中のビットの各々は、アンテナ切替えアルゴリズム（たとえば、初期システム獲得に１次スイッチ動作モードＲｘ０’を利用することを可能にするアルゴリズム）の全部または一部分が可能であるかどうかを表すことができる。もちろん、これは一例にすぎず、本開示内では、アンテナ切替えアルゴリズムかどうかを決定するための任意の適切なアルゴリズムが利用され得る。他の例では、５２６は省略されることがあり、アルゴリズムはすべての場合に可能であり得る。ここでは、５２６において、アルゴリズムは可能ではないとワイヤレスデバイス１１５が決定した場合、プロセスはブロック５０６に戻ることができ、ブロック５０６において、１次動作モードＲｘ０が選択されてよく、５０８において、ワイヤレスデバイス１１５は、選択されたＲｘ０動作モードを利用して初期システム獲得を実行することができる。
【００７１】
[0076]一方、アルゴリズムが可能である場合、プロセスは５２８に進むことができ、５２８においてワイヤレスデバイス１１５は、アンテナ切替え、たとえば、１次スイッチＲｘ０’動作モードの使用を要求することができる。たとえば、切替え回路２６０は、プロセッサ２２０に、または任意の他の適切な制御エンティティに、第１の受信回路を任意の適切なアンテナ、たとえば第２のアンテナ２７０ｂと結合するためにそれの構成を切り替え、この構成を初期獲得試行に利用する許可を要求することができる。
【００７２】
[0077]１次スイッチＲｘ０’動作モードを利用する要求が認められなかった場合、プロセスは５３０に進むことができ、５３０においてワイヤレスデバイス１１５は、初期システム獲得のための被選択動作モードとして構成Ｒｘ０を選択し、５３２において、ワイヤレスデバイス１１５は、選択された１次動作モードＲｘ０を利用して初期システム獲得を実行することができる。
【００７３】
[0078]一方、１次スイッチＲｘ０’動作モードを利用するためのアンテナ切替えが認められた場合、プロセスは５３４に進むことができ、５３４において、切替え回路２６０は、上述した１次スイッチＲｘ０’動作モードにトグルすることができる。ワイヤレスデバイス１１５が１次スイッチＲｘ０’動作モードに従って再構成されると、ワイヤレスデバイス１１５は、要求された帯域またはチャネルの１つまたは複数の特性を再び測定することができる。たとえば、受信回路は、受信信号電力に対応するＡＧＣ値を生成し、このＡＧＣ値を適切なしきい値（たとえば、所定のしきい値ＴＨ２）と比較することができる。たとえば、ワイヤレスデバイス１１５は、Ｒｘ０’＿Ｒｘ＿ＡＧＣ＞ＴＨ２かどうかを決定することができる。
【００７４】
[0079]ここでは、ＡＧＣ値がＴＨ２よりも大きい場合に、プロセスは５３６に進むことができ、５３６においてワイヤレスデバイス１１５は、１次スイッチ（Ｒｘ０’）動作モードを選択し、５３８に進むことができ、５３８においてワイヤレスデバイス１１５は、選択された１次スイッチ動作モードを利用して初期システム獲得を実行することができる。すなわち、第２のアンテナ２７０ｂを利用する１次スイッチ動作モードが十分な信号品質をもたらすと決定された場合、このモードが初期システム獲得に利用され得る。
【００７５】
[0080]一方、１次スイッチＲｘ０’動作モードを利用して決定されたＡＧＣ値がしきい値ＴＨ２よりも大きくない場合、プロセスは５４０に進むことができ、５４０においてワイヤレスデバイス１１５はアンテナ切替えを要求することができる。ここでも、切替え回路２６０は、プロセッサ２２０に、または任意の他の適切な制御エンティティに、１次動作モードに戻る形で第１の受信回路を結合するためにそれの構成を切り替える許可を要求することができる。アンテナ切替えの要求が認められなかった場合、プロセスは５３６に戻ることができ、５３６においてワイヤレスデバイス１１５は、１次スイッチ動作モードＲｘ０’を選択し、５３８においてワイヤレスデバイス５３８は、選択された動作モードを利用して初期システム獲得を実行することができる。
【００７６】
[0081]一方、アンテナ切替えの要求が認められた場合、プロセスは５４２に進むことができ、５４２において、切替え回路２６０は、第１のアンテナ２７０が第１の受信回路２４０ａに結合される１次動作モードＲｘ０に戻る形でトグルすることができる。ここでは、１次スイッチ動作モードＲｘ０’が第２のしきい値ＴＨ１よりも大きくなかったので、１次動作モードＲｘ０が第１のしきい値ＴＨ０よりも小さかったとしても、それでも１次動作モードＲｘ０は初期システム獲得の実行に利用され得る。
【００７７】
[0082]この例では、本開示の様々な態様の場合のように、初期システム獲得に利用される構成は、初期獲得段階から抜け出るときに保持され得る。たとえば、選択された構成は、データ通信に、後の再獲得に、および／またはワイヤレスデバイス１１５が圏外に出た後に後続の初期獲得に利用され得る。もちろん、これは本開示の範囲内の１つのオプションにすぎず、他の例では、構成の変更、別の初期構成へのリセットなどが行われ得る。
【００７８】
[0083]図６は、本開示の１つまたは複数の態様による、別の例示的なプロセス６００を示すフローチャートである。様々な例では、図示したプロセス６００は、ワイヤレスデバイス１１５または装置３００によって実行され得る。いくつかの例では、プロセス５００は、コンピュータ可読媒体２０６上の命令を実施し得るプロセッサ２２０によって実行され得る。いくつかの例では、プロセス５００は、説明する機能を実行するための任意の適切な装置または手段によって実行され得る。
【００７９】
[0084]６０２において、ワイヤレスデバイスは、第１の受信回路に結合された第１のアンテナを利用して第１のチャネル特性を決定することができ、６０４において、ワイヤレスデバイスは、決定された第１のチャネル特性が十分であるかどうかを決定することができる。たとえば、第１のチャネル特性がＡＧＣ値である例では、その場合に６０４において、ワイヤレスデバイスは、ＡＧＣ値が適切な第１のしきい値よりも大きいかどうかを決定することができる。
【００８０】
[0085]第１のチャネル特性が十分である場合、プロセスは６０６に進むことができ、６０６においてワイヤレスデバイスは、第１のアンテナに結合された第１の受信回路を利用して初期システム獲得試行を実行することができる。
【００８１】
[0086]一方、第１のチャネル特性が十分ではない場合、プロセスはステップ６０８に進むことができる。ここでは、ワイヤレスデバイスは、受信ダイバーシティ決定アルゴリズムが利用されるべきかどうかを決定することができる。すなわち、ワイヤレスデバイスは、受信ダイバーシティが初期システム獲得のために試行されるべきかどうかを選択すること、または選択しないことがある。すなわち、特定の例では、そのような受信ダイバーシティ選択アルゴリズムは実施されないことがあり、または別の例では、第２の受信回路は利用不可能であること、たとえば、何らかの他の無線アクセス技術によって現在使用中であることがある。
【００８２】
[0087]受信ダイバーシティ決定アルゴリズムが使用されるべきである場合、プロセスは６１０に進むことができ、６１０においてワイヤレスデバイスは、第２のアンテナに結合された第２の受信回路を利用して第２のチャネル特性を決定することができ、６１２において、ワイヤレスデバイスは、決定された第１のチャネル特性が十分であるかどうかを決定することができる。ここでも、第２のチャネル特性がＡＧＣ値である例では、その場合に６１２において、ワイヤレスデバイスは、ＡＧＣ値が適切な第２のしきい値よりも大きいかどうかを決定することができる。
【００８３】
[0088]第２のチャネル特性が十分である場合、プロセスは６１４に進むことができ、６１４においてワイヤレスデバイスは、第１の受信回路に結合された第１のアンテナのパフォーマンスを第２の受信回路に結合された第２のアンテナのパフォーマンスと組み合わせる受信ダイバーシティを利用して初期システム獲得試行を実行することができる。
【００８４】
[0089]一方、第２のチャネル特性が十分ではない場合、プロセスはステップ６１６に進むことができる。ここでは、ワイヤレスデバイスは、第１のアンテナに結合された第１のアンテナのみを利用して初期システム獲得を実行することができる。すなわち、第２の受信回路および第２のアンテナが不十分な支援を提供すると決定された場合、受信ダイバーシティは利用されず、単一アンテナ獲得が利用され得る。
【００８５】
[0090]６０８に戻ると、受信ダイバーシティ決定アルゴリズムが利用されない場合、プロセスはアンテナ切替え決定アルゴリズムの実行に移ることができる。すなわち、６１８において、ワイヤレスデバイスは、第２のアンテナに結合された第１の受信回路を利用して第３のチャネル特性を決定することができる。たとえば、アンテナ切替え回路は、第１の受信回路を、代わりにそれを第２のアンテナと結合するためにトグルすることができる。
【００８６】
[0091]６２０において、ワイヤレスデバイスは、決定された第３のチャネル特性が十分であるかどうかを決定することができる。たとえば、第３のチャネル特性がＡＧＣ値である例では、その場合に６２０において、ワイヤレスデバイスは、ＡＧＣ値が適切な第３のしきい値よりも大きいかどうかを決定することができる。
【００８７】
[0092]第３のチャネル特性が十分である場合、プロセスは６２２に進むことができ、６２２においてワイヤレスデバイスは、第２のアンテナに結合された第１の受信回路を利用して初期システム獲得試行を実行することができる。一方、第３のチャネル特性が十分ではない場合、プロセスはステップ６２４に進むことができる。すなわち、ワイヤレスは、たとえば、第１の受信回路を第１のアンテナに結合するために切替え回路をトグルし、この構成を利用して初期システム獲得を実行することによって、初期構成に復帰することができる。
【００８８】
[0093]このようにして、本開示の上述の態様を利用して、初期システム獲得試行の成功の確率は、単一の受信機、および／または単一のアンテナを利用する別のアルゴリズムに対して改善され得る。その上、ワイヤレスデバイスにおけるバッテリー電力は、初期システム獲得のために受信ダイバーシティを常に実施するデバイスに対して節約され得る。
【００８９】
[0094]開示される方法におけるステップの特定の順序または階層は例示的なプロセスの一例であることを理解されたい。設計上の選好に基づいて、方法におけるステップの特定の順序または階層は再構成され得ることを理解されたい。添付の方法クレームは、様々なステップの要素を例示的な順序で提示したものであり、方法クレーム内で特に記載されていない限り、提示した特定の順序または階層に限定されるものではない。すなわち、本明細書で説明し、図面に示す構成要素、行為、特徴および／または機能のうちの１つまたは複数は、単一の構成要素、行為、特徴または機能に再構成されおよび／または組み合わせられ得、あるいはいくつかの構成要素、行為、特徴、または機能において具現化され得る。また、本発明から逸脱することなく、追加の要素、構成要素、行為、および／または機能が追加され得る。本明細書で説明したアルゴリズムはまた、効率的にソフトウェアで実装されおよび／またはハードウェアに組み込まれ得る。
【００９０】
[0095]記述の中では、開示される手法を不必要な詳細で不明瞭にしないために、要素、回路、および機能がブロック図の形態で示されることがある。反対に、図示および説明した特定の実装形態は、例にすぎず、本明細書において別段に記載されていない限り、開示される手法を実施するための唯一の方法と解釈されるべきではない。さらに、様々なブロックの間の論理のブロックの画定および区分は、特定の実装形態の例である。開示される手法が多数の他の区分解決法（partitioning solution）によって実施され得ることは、当業者には容易に明らかである。大部分では、タイミング事項などに関する詳細は、そのような詳細が開示される手法の完全な理解を得るために必要ではなく、当業者の能力の範囲内にある場合には省略されている。
【００９１】
[0096]また、態様は、フローチャート、流れ図、構造図、またはブロック図として示されるプロセスとして説明され得ることに留意されたい。フローチャートは動作を逐次プロセスとして記述することがあるが、動作の多くは並行してまたは同時に実行され得る。加えて、動作の順序は再構成され得る。プロセスは、それの動作が完了したときに終了する。プロセスは、方法、関数、プロシージャ、サブルーチン、サブプログラムなどに対応し得る。プロセスが関数に対応するとき、それの終了は呼出し関数またはメイン関数への関数の復帰に対応する。
【００９２】
[0097]様々な異なる技術および技法のいずれかを使用して情報および信号が表され得ることを当業者なら理解されよう。たとえば、本明細書全体にわたって参照され得るデータ、命令、コマンド、情報、信号、ビット、シンボル、およびチップは、電圧、電流、電磁波、磁場もしくは磁性粒子、光場もしくは光粒子、またはその組合せによって表され得る。提示および説明を明快にするために、いくつかの図面は信号を単一の信号として示すことがある。信号は、信号のバスを表すことがあり、バスは、様々なビット幅を有することがあり、開示される手法は、単一のデータ信号を含む任意の数のデータ信号に対して実施され得ることが、当業者によって理解されよう。
【００９３】
[0098]本明細書における「第１の」、「第２の」などの名称を使用した要素への言及は、それらの要素の数量または順序を限定することが明示されていない限り、そのような限定をするものでないことを理解されたい。むしろ、これらの名称は、本明細書において、２つ以上の要素またはある要素の複数の例を区別する便利な方法として使用され得る。したがって、第１の要素および第２の要素への言及は、そこで２つの要素のみが用いられ得ること、または第１の要素が何らかの方法で第２の要素に先行しなければならないことを意味するものではない。また、別段に記載されていない限り、要素のセットは１つまたは複数の要素を備え得る。
【００９４】
[0099]さらに、本明細書で開示する態様に関して説明した様々な例示的な論理ブロック、モジュール、回路、およびアルゴリズムステップは、電子ハードウェア、コンピュータソフトウェア、または両方の組合せとして実装され得ることを当業者は諒解されよう。ハードウェアとソフトウェアのこの互換性を明確に示すために、様々な例示的な構成要素、ブロック、モジュール、回路、およびステップについて、概してそれらの機能性に関して上述した。そのような機能性がハードウェアとして実装されるか、ソフトウェアとして実装されるか、またはそれらの組合せとして実装されるかは、特定の適用例およびシステム全体に課される設計の選択に依存する。
【００９５】
[0100]本明細書で説明する本発明の様々な特徴は、本発明から逸脱することなく様々なシステムで実装され得る。前述の態様は例にすぎず、本発明を限定するものとして解釈されるべきではないことに留意されたい。態様の説明は、例示的なものであり、特許請求の範囲を限定するものとはしない。したがって、本教示は、他のタイプの装置にも容易に適用されることが可能であり、当業者には多くの代替形態、変更形態、および変形形態が明らかであろう。
【００９６】
[0101]前述の説明は、いかなる当業者でも本開示の全範囲を完全に理解することができるように提供した。本明細書で開示する様々な構成への変更は当業者には容易に明らかであろう。したがって、特許請求の範囲は、本明細書で説明した本開示の様々な態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。要素の組合せのうちの少なくとも１つ（たとえば、「Ａ、Ｂ、またはＣのうちの少なくとも１つ」）を具陳する請求項は、具陳された要素のうちの１つまたは複数（たとえば、Ａ、またはＢ、またはＣ、またはそれらの組合せ）を表す。当業者に知られている、または後で知られることになる、本開示全体にわたって説明する様々な態様の要素のすべての構造的および機能的均等物は、参照により本明細書に明確に組み込まれ、特許請求の範囲によって包含されるものとする。その上、本明細書で開示する内容は、そのような開示が特許請求の範囲で明示的に記載されているかどうかにかかわらず、公に供することは意図されていない。請求項のいかなる要素も、要素が「のための手段」という語句を使用して明示的に記載されない限り、または方法クレームの場合には、要素が「のためのステップ」という語句を使用して記載されない限り、米国特許法第１１２条第６項の規定に基づき解釈されるべきではない。
【図１】
2016524835.tif 000003
【図２】
2016524835.tif 000004
【図３】
2016524835.tif 000005
【図４】
2016524835.tif 000006
【図５】
2016524835.tif 000007
【図６】
2016524835.tif 000008
【国際調査報告】
2016524835.tif 000009
2016524835.tif 000010